(57)【要約】【課題】  ２つの指輪同士を強固に連結可能であるとともに、必要に応じて指輪以外の装身具として使用可能な組み合わせ指輪兼装身具を提供する。【解決手段】  オネジ１３１が、女性用指輪１２１のメネジ孔１２１ｄに螺入され、さらに、男性用指輪１１１のメネジ孔１１１ｄに螺入される。そして、男性用指輪１１１と女性用指輪１２１とは、オネジ１３１により互いに連結される。一方、オネジ１３１は、女性用指輪１２１のメネジ孔１２１ｄ等に螺入されると、オネジ１３１の貫通孔１３１ｆが、女性用指輪１２１の外周面１２１ｂ側から出現する。そして、この貫通孔１３１ｆには、ネックレスチェーン１４１が貫通され、女性用指輪１２１等は、ネックレスとして使用される。【選択図】        図１
2005198723.tif 000002
【特許請求の範囲】
【請求項１】
第１のネジ孔が内周面と外周面との間を貫通する第１の指輪と、
第２のネジ孔が内周面と外周面との間を貫通する第２の指輪と、
ネジ足を有するネジとを備えた組み合わせ指輪兼装身具であって、
前記ネジが第１の指輪の内周面側から前記第１のネジ孔に螺入された状態で該ネジが前記第２の指輪の外周面側から前記第２のネジ孔に螺入可能であることを特徴とする組み合わせ指輪兼装身具。
【請求項２】
第１のネジ孔が内周面と外周面との間を貫通する第１の指輪と、
ネジ足を有し、かつ加飾されたネジ頭を有する加飾ネジとを備えた組み合わせ指輪兼装身具であって、
前記加飾ネジが前記第１の指輪の外周面側から前記第１のネジ孔に螺入可能であることを特徴とする組み合わせ指輪兼装身具。
【請求項３】
第１のネジ孔が内周面と外周面との間を貫通する第１の指輪と、
第２のネジ孔が内周面と外周面との間を貫通する第２の指輪と、
ネジ足を有し、かつ加飾されたネジ頭を有する加飾ネジと、
第３のネジ孔が形成された挟装具とを備えた組み合わせ指輪兼装身具であって、
前記加飾ネジが第１の指輪の内周面側から前記第１のネジ孔に螺入された状態で該加飾ネジが前記第２の指輪の外周面側から前記第２のネジ孔への螺入、又は前記加飾ネジが前記挟装具の第３のネジ孔に螺入された状態で該加飾ネジが前記第１の指輪の外周面側から前記第１のネジ孔への螺入、又は前記加飾ネジが前記挟装具の第３のネジ孔に螺入された状態で該加飾ネジが前記第２の指輪の外周面側から前記第２のネジ孔への螺入のいずれかの螺入が可能であることを特徴とする組み合わせ指輪兼装身具。
【請求項４】
前記ネジ足には、該ネジ足を貫通する貫通孔が形成され、
該貫通孔に貫通可能であり、前記ネジ又は前記加飾ネジを釣支可能な釣支部材をさらに備えた組み合わせ指輪兼装身具であって、
前記ネジ又は前記加飾ネジが、前記第１の指輪の内周面側から前記第１のネジ孔に螺入され又は前記第２の指輪の内周面側から前記第２のネジ孔に螺入された状態で前記釣支部材が前記貫通孔に貫通可能であることを特徴とする請求項１、２又は３記載の組み合わせ指輪兼装身具。
【請求項５】
前記ネジ足に形成された貫通孔の径は、該ネジ足の有効径に対する比率が５０％以上６０％以下であることを特徴とする請求項４記載の組み合わせ指輪兼装身具。
【請求項６】
前記ネジ足の有効径、前記第１のネジ孔の有効径、前記第２のネジ孔の有効径及び前記第３のネジ孔の有効径は、ＪＩＳ  Ｂ  ０２０５に定めるメートル並目ネジにおいて、Ｍ３又はＭ４であることを特徴とする請求項１〜５のいずれか１項に記載の組み合わせ指輪兼装身具。
【発明の詳細な説明】
【技術分野】
【０００１】
本発明は組み合わせ指輪兼装身具に係わり、特に、２つの指輪同士を強固に連結可能であるとともに、必要に応じて指輪以外の装身具として使用可能な組み合わせ指輪兼装身具に関する。
【背景技術】
【０００２】
従来より、２つの指輪同士を連結することのできる組み合わせ指輪として、特許文献１に示されるようなものが知られている。
【０００３】
【特許文献１】公開実用新案  昭５５−１６６４１号公報
【０００４】
この特許文献１に示される組み合わせ指輪の構成図を図９に示す。
図９において、指輪１１の外周面１１ｂには、取付部１１ｄが設けられている。そして、この取付部１１ｄには、紐１２の一端が取り付けられている。また、この紐１２の他端には、凸部を有する継合具３１が取り付けられている。
一方、指輪１１とほぼ同様の形状を有する指輪２１の外周面２１ｂにも、取付部２１ｄが設けられている。そして、この取付部２１ｄにも、紐２２の一端が取り付けられている。また、この紐２２の他端には、継合具３１と継合可能な凹部を有する継合具３２が取り付けられている。
【０００５】
かかる構成において、継合具３１と継合具３２とは継合し合う。
このことにより、指輪１１と指輪２１との間を継合具３１、３２を介して互いに連結させることができる。
なお、この組み合わせ指輪５０は、指輪１１と指輪２１とが互いに連結し合うことにより両指輪間に連結感あるいは一体感が奏されるため、結婚用、婚約用その他のペア用の指輪に応用されることが多い。
【発明の開示】
【発明が解決しようとする課題】
【０００６】
しかしながら、特許文献１に示される組み合わせ指輪５０は、指輪１１と指輪２１との間が、細い糸状の紐１２、２２により連結されるため、わずかな衝撃によって、この紐１２、２２が切れてしまうおそれがあった。そして、組み合わせ指輪５０が上記のようにペア用の指輪として使用される場合には、紐１２、２２が切れることによって、両指輪間の連結感あるいは一体感が消失してしまうため、これらの指輪１１、１２を着用者に極めて不快な感情を抱かせるおそれがあった。
【０００７】
一方、特許文献１に示される組み合わせ指輪５０では、紐１２、２２やその他端に取り付けられた継合具３１、３２は、指輪１１と指輪２１とを互いに連結するためだけに用いられるものであるため、指輪１１や指輪２１を単独で使用する際には、紐１２、２２等を別途保管しておく必要があった。従って、この紐１２、２２等を紛失してしまう可能性が高く、これらを紛失した場合には、その後、指輪１１と指輪２１とを互いに連結することができなかった。
【０００８】
さらに、特許文献１に示される組み合わせ指輪５０は、あくまで指輪の範疇を超えるものではなく、この組み合わせ指輪５０をネックレス等のその他の装身具として使用することは到底不可能であった。従って、指輪１１を単独で着用して外出等したときに、この指輪１１を急きょ外す必要がある場合（例えば、手を激しく使用する作業をする場合等）には、この指輪１１を一時的に外して別途保管しておく必要があった。そのため、この保管の際に指輪１１自体を紛失してしまう可能性が高かった。
【０００９】
本発明はこのような従来の課題に鑑みてなされたもので、２つの指輪同士を強固に連結可能であるとともに、必要に応じて指輪以外の装身具として使用可能な組み合わせ指輪兼装身具を提供することを目的とする。
【課題を解決するための手段】
【００１０】
このため本発明は、第１のネジ孔が内周面と外周面との間を貫通する第１の指輪と、第２のネジ孔が内周面と外周面との間を貫通する第２の指輪と、ネジ足を有するネジとを備えた組み合わせ指輪兼装身具であって、前記ネジが第１の指輪の内周面側から前記第１のネジ孔に螺入された状態で該ネジが前記第２の指輪の外周面側から前記第２のネジ孔に螺入可能であることを特徴とする。
【００１１】
第１のネジ孔及び第２のネジ孔には、ネジが螺入可能である。そのため、第１の指輪と第２の指輪とは、ネジにより強固に連結される。
このことにより、第１の指輪と第２の指輪との間の連結は、多少の衝撃では途切れることは無くなる。従って、両指輪間に強固な連結感あるいは一体感を奏することが可能となる。
【００１２】
また、本発明は、第１のネジ孔が内周面と外周面との間を貫通する第１の指輪と、ネジ足を有し、かつ加飾されたネジ頭を有する加飾ネジとを備えた組み合わせ指輪兼装身具であって、前記加飾ネジが前記第１の指輪の外周面側から前記第１のネジ孔に螺入可能であることを特徴とする。
【００１３】
このことにより、第１の指輪に形成された第１のネジ孔に対して加飾ネジを螺入させることで、第１の指輪の装飾を施すことが可能となる。
従って、第１の指輪を指輪として使用する際に、外部に第１のネジ孔を見せないようにすることができ、第１の指輪のデザイン性を高めることができる。さらに、第１のネジ孔に加飾ネジが螺入されるため、指輪のデザイン性をより一層高めることができる。また、この加飾ネジ自身の紛失も防ぐことができる。
【００１４】
さらに、本発明は、第１のネジ孔が内周面と外周面との間を貫通する第１の指輪と、第２のネジ孔が内周面と外周面との間を貫通する第２の指輪と、ネジ足を有し、かつ加飾されたネジ頭を有する加飾ネジと、第３のネジ孔が形成された挟装具とを備えた組み合わせ指輪兼装身具であって、前記加飾ネジが第１の指輪の内周面側から前記第１のネジ孔に螺入された状態で該加飾ネジが前記第２の指輪の外周面側から前記第２のネジ孔への螺入、又は前記加飾ネジが前記挟装具の第３のネジ孔に螺入された状態で該加飾ネジが前記第１の指輪の外周面側から前記第１のネジ孔への螺入、又は前記加飾ネジが前記挟装具の第３のネジ孔に螺入された状態で該加飾ネジが前記第２の指輪の外周面側から前記第２のネジ孔への螺入のいずれかの螺入が可能であることを特徴とする。
【００１５】
加飾ネジは、挟装具を介して、第１の指輪又は第２の指輪に螺入される。そのため、加飾ネジは、第１の指輪と第２の指輪との間を連結可能であることに加え、第１の指輪等に螺入された際にはこのネジ足の先端が指輪の内周面側に突出しなくなる。
このことにより、加飾ネジを指輪の装飾部として使用しつつ、第１の指輪と第２の指輪との間を連結するための部材としても使用することができる。
【００１６】
さらに、本発明は、前記ネジ足には、該ネジ足を貫通する貫通孔が形成され、該貫通孔に貫通可能であり、前記ネジ又は前記加飾ネジを釣支可能な釣支部材をさらに備えた組み合わせ指輪兼装身具であって、前記ネジ又は前記加飾ネジが、前記第１の指輪の内周面側から前記第１のネジ孔に螺入され又は前記第２の指輪の内周面側から前記第２のネジ孔に螺入された状態で前記釣支部材が前記貫通孔に貫通可能であることを特徴とする。
【００１７】
第１の指輪の内周面側から又は第２の指輪の内周面側からネジ等を螺入して、ネジ足の貫通孔に釣支部材を貫通させることで、これらを指輪以外にネックレス、ピアス、イヤリング、チョーカー、ペンダント、ベルト、ブレスレット、ベルト、アンクレット等として使用することができる。
このことにより、第１の指輪、第２の指輪、ネジ（又は加飾ネジ）及び釣支部材の紛失を防ぐことができる。
【００１８】
さらに、本発明は、前記ネジ足に形成された貫通孔の径は、該ネジ足の有効径に対する比率が５０％以上６０％以下であることを特徴とする。
【００１９】
このことにより、貫通孔に釣支部材が貫通可能となるとともに、貫通孔が形成された部分のネジ足の強度を保つことができる。
【００２０】
さらに、本発明は、前記ネジ足の有効径、前記第１のネジ孔の有効径、前記第２のネジ孔の有効径及び前記第３のネジ孔の有効径は、ＪＩＳ  Ｂ  ０２０５に定めるメートル並目ネジにおいて、Ｍ３又はＭ４であることを特徴とする。
【００２１】
このことにより、ネジ又は加飾ネジ自身の強度を保つことができる。
【発明の効果】
【００２２】
以上説明したように本発明によれば、第１の指輪及び第２の指輪にネジを螺入可能に構成したので、第１の指輪と第２の指輪との間をネジによって強固に連結可能となる。
また、ネジ足に貫通孔を形成し、この貫通孔に釣支部材を貫通可能に構成したので、必要に応じて指輪以外の装身具としても使用可能となる。
【発明を実施するための最良の形態】
【００２３】
以下、本発明の第１実施形態について説明する。
本発明の第１実施形態である組み合わせ指輪兼装身具の構成図を図１、図２に示す。なお、図２（ａ）は、図１に示すオネジの拡大図、図２（ｂ）は、図２（ａ）中のＡ−Ａ矢視線断面図である。
【００２４】
図１、図２において、組み合わせ指輪兼装身具１００は、男性用指輪１１１と、女性用指輪１２１と、オネジ１３１と、ネックレスチェーン１４１とから構成されている。そして、例えば、組み合わせ指輪兼装身具１００がペア用の指輪として使用される場合には、男性用指輪１１１は男性が着用する指輪となり、女性用指輪１２１は女性が着用する指輪となっている。ただし、男性だけが男性用指輪１１１を着用する場合に限られず、男女の指の太さの関係で女性が男性用指輪１１１を着用しても良いし、またその逆であっても良い。
【００２５】
ここに、男性用指輪１１１は、プラチナ製であり、例えば、図示しない帯状部材（幅Ｗ１、厚さＴ１）に対し、これを円環状（内半径Ｒｉｎ１、外半径Ｒｏｕｔ１）に成形したものとなっている。そして、男性用指輪１１１の中心軸１１１ｅに対して、その径方向内側の面が内周面１１１ａとなっており、その径方向外側の面が外周面１１１ｂとなっており、その木口面が側面１１１ｃとなっている。なお、男性用指輪１１１の材料については、プラチナだけでなく、それ以外にチタン、金合金、銀あるいはこれらを組み合わせたもの等であっても良い。
【００２６】
また、この男性用指輪１１１には、内周面１１１ａと外周面１１１ｂとの間を貫通するメネジ孔１１１ｄが形成されている。そして、このメネジ孔１１１ｄは、男性用指輪１１１の軸方向に対して、その幅Ｗ１のおよそ２分の１の位置に形成されるとともに、メネジ孔１１１ｄの軸方向が男性用指輪１１１の径方向と平行になっている。さらに、このメネジ孔１１１ｄは、例えば、右ネジになるように形成されており、メートル並目ネジ（ＪＩＳ  Ｂ  ０２０５）の規格に合致するようになっている。
【００２７】
そして、このメネジ孔１１１ｄの規格としては、最低限、メネジ孔１１１ｄの外径が男性用指輪１１１の幅Ｗ１よりも小さければ良いが、オネジ１３１の強度等との関係から、Ｍ３あるいはＭ４の規格と同等になっていることが好ましい。なお、このＭ３の規格とは、メネジのピッチが０．５ｍｍ、ヒッカカリの高さが０．２７１ｍｍ、外径が２．４５９ｍｍ、有効径（図中Ｄ１で示す）が２．６５７ｍｍ、谷ノ径が３．０００ｍｍとなっているものをいい、Ｍ４の規格とは、メネジのピッチが０．７ｍｍ、ヒッカカリの高さが０．３７９ｍｍ、外径が３．２４２ｍｍ、有効径が３．５４５ｍｍ、谷ノ径が４．０００ｍｍとなっているものをいう。
そして、このメネジ孔１１１ｄの加工に際しては、市販のネジ切りタップ等を使用することにより、容易に作成可能となっている。
【００２８】
さらに、男性用指輪１１１の内周面１１１ａは、着用者の指に接触する面となっている。そのため、男性用指輪１１１を着用した際に、着用者の指に違和感を与えないように、鏡面状かつ無装飾となるように加工されることが好ましい。ただし、着用者の指に違和感を与えない程度のものであれば、内周面１１１ａに対して凹になるように、彫金等の手法で装飾を施しても良いし、ダイヤ、ルビー、サファイア等の宝石類を埋設しても良い。
【００２９】
また、男性用指輪１１１の側面１１１ｃも、着用者の指に接触し得る面となっているため、内周面１１１ａと同様に、着用者の指に違和感を与えないように加工されることが好ましい。
さらに、男性用指輪１１１の外周面１１１ｂは、後述するが男性用指輪１１１と女性用指輪１２１とが連結される際に、女性用指輪１２１の外周面１２１ｂと接触する部分となっている。従って、男性用指輪１１１と女性用指輪１２１との連結を阻害しないように、少なくともメネジ孔１１１ｄの付近では鏡面状かつ無装飾となるように加工されることが好ましい。
【００３０】
また、男性用指輪１１１の厚さＴ１は、男性用指輪１１１のメネジ孔１１１ｄにオネジ１３１が螺入された際の、このメネジ孔１１１ｄ付近の強度等の関係から、１．５ｍｍ以上となっていることが好ましい。なお、男性用指輪１１１の材料としてプラチナ等の比較的柔らかい金属を用いる場合には、さらに厚さＴ１は、２．２ｍｍ以上となっていることが好ましい。
また、男性用指輪１１１の幅Ｗ１に関しては、メネジ孔１１１ｄがＭ３、Ｍ４の規格が好適であることを受けて、５．０ｍｍ以上となっていることが好ましい。
【００３１】
さらに、男性用指輪１１１の内半径Ｒｉｎ１の大きさは、男性用指輪１１１を着用する者、例えば男性の薬指の太さに基づいて決められるようになっており、その内半径Ｒｉｎ１は、通常規格化されている。そして、この内半径Ｒｉｎ１は、例えば、図３に示すような指輪の号数のいずれかと一致するようになっている。
さらに、男性用指輪１１１の外半径Ｒｏｕｔ１の大きさは、男性用指輪１１１の厚さＴ１とその内半径Ｒｉｎ１の大きさとの和と一致している。
【００３２】
一方、女性用指輪１２１も、男性用指輪１１１と同様に、プラチナ製であり、例えば、図示しない帯状部材（幅Ｗ２、厚さＴ２）に対し、これを円環状（内半径Ｒｉｎ２、外半径Ｒｏｕｔ２）に成形したものとなっている。そして、女性用指輪１２１の中心軸１２１ｅに対して、その径方向内側の面が内周面１２１ａとなっており、その径方向外側の面が外周面１２１ｂとなっており、その木口面が側面１２１ｃとなっている。なお、女性用指輪１２１の材料についても、プラチナだけでなく、それ以外にチタン、金合金、銀あるいはこれらを組み合わせたもの等であっても良い。ただし、男性用指輪１１１と女性用指輪１２１との間に連結感あるいは一体感を奏するように、男性用指輪１１１と同じ材料が用いられることが望ましい。
【００３３】
また、この女性用指輪１２１にも、男性用指輪１１１と同様に、内周面１２１ａと外周面１２１ｂとの間を貫通するメネジ孔１２１ｄが形成されている。そして、このメネジ孔１２１ｄも、女性用指輪１２１の軸方向に対して、その幅Ｗ２のおよそ２分の１の位置に形成されるととともに、メネジ孔１２１ｄの軸方向が女性用指輪１２１の径方向と平行になっている。
【００３４】
このとき、このメネジ孔１２１ｄも、例えば、右ネジになるように形成されている。そして、メネジ孔１２１ｄは、男性用指輪１１１のメネジ孔１１１ｄと同じ規格となっており、上述の例で言えば、メートル並目ネジのＭ３あるいはＭ４規格になっている（なお、この有効径を図中Ｄ２で示す）。
【００３５】
さらに、女性用指輪１２１の内周面１２１ａは、男性用指輪１１１の内周面１１１ａと同様に、着用者の指に接触する面となっている。そのため、女性用指輪１２１を着用した際に、着用者の指に違和感を与えないように、鏡面状かつ無装飾となるように加工されることが好ましい。ただし、男性用指輪１１１と同様に、着用者の指に違和感を与えない程度のものであれば、適当な装飾等を施しても良い。
【００３６】
また、女性用指輪１２１の側面１２１ｃも、着用者の指に接触し得る面となっているため、内周面１２１ａと同様に、着用者の指に違和感を与えないように加工されることが好ましい。
さらに、女性用指輪１２１の外周面１２１ｂは、男性用指輪１１１と女性用指輪１２１とが連結される際に、男性用指輪１１１の外周面１１１ｂと接触する部分となっている。従って、男性用指輪１１１と女性用指輪１２１との連結を阻害しないように、少なくともメネジ孔１２１ｄの付近では鏡面状かつ無装飾となるように加工されることが好ましい。
【００３７】
また、女性用指輪１２１の厚さＴ２も、男性用指輪１１１と同様に、メネジ孔１２１ｄ付近の強度等の関係から、１．５ｍｍ以上となっていることが好ましい。そして、プラチナ等の比較的柔らかい貴金属を用いる場合には、さらにその厚さＴ２は、２．２ｍｍ以上となっていることが好ましい。なお、女性用指輪１２１の厚さＴ２は、男性用指輪１１１と女性用指輪１２１との間に連結感あるいは一体感を奏するように、男性用指輪１１１の厚さＴ１と一致していることが望ましい。
また、女性用指輪１２１の幅Ｗ２に関しても、メネジ孔１２１ｄがＭ３、Ｍ４の規格が好適であることを受けて、５．０ｍｍ以上となっていることが好ましい。
【００３８】
さらに、女性用指輪１２１の内半径Ｒｉｎ２の大きさも、男性用指輪１１１と同様に、女性用指輪１２１を着用する者、例えば女性の薬指の太さに基づいて決められるようになっており、その内半径Ｒｉｎ２は、通常規格化されている。そして、この内半径Ｒｉｎ２は、例えば、図３に示すような指輪の号数のいずれかと一致するようになっている。
さらに、女性用指輪１２１の外半径Ｒｏｕｔ２の大きさは、女性用指輪１２１の厚さＴ２とその内半径Ｒｉｎ２の大きさとの和と一致している。
【００３９】
続いて、オネジ１３１は、全体がステンレス製となっており、その頭であるオネジ頭１３１ａと、足であるオネジ足１３１ｄとから構成されている。
そして、このオネジ頭１３１ａは、その中心軸１３１ｅに対する断面が正六角形の形状を有するようになっており、その大きさは、オネジ１３１を手で回し易いように、正六角形のうちの平行な２辺間の距離である径Ｈ３が５．０ｍｍ以上になっている。また、この径Ｈ３に関しては、デザイン的な観点から、オネジ１３１が男性用指輪１１１等に螺入された際にオネジ頭１３１ａが男性用指輪１１１の幅Ｗ１から飛び出ないように、幅Ｗ１と同等かそれ未満となるように設定されることが望ましい。
【００４０】
なお、オネジ１３１は通常の市販のネジであっても良いため、その際には、オネジ頭１３１ａにプラスあるいはマイナスの溝が形成されていても良く、また、その断面の形状は、六角形である場合に限らず、着用者の好みに合わせて、丸、三角、四角あるいはその他の異型であっても良い。さらに、オネジ１３１の材料については、ステンレスだけでなく、オネジ１３１の強度等に問題がなければ、これ以外にチタン製であっても良く、また男性用指輪１１１や女性用指輪１２１の材料に合わせて、プラチナ等であっても良い。
【００４１】
また、オネジ１３１のオネジ足１３１ｄは、オネジ１３１自身の強度等の関係から、その有効径（規格）が決められている。すなわち、メートル並目ネジのＭ３あるいはＭ４の規格と同等になっていることが好ましい。さらに、このオネジ足１３１ｄは、メネジ孔１１１ｄ、１２１ｄと同様に、右ネジの形状を有しており、男性用指輪１１１のメネジ孔１１１ｄ及び女性用指輪１２１のメネジ孔１２１ｄに螺入可能となっている。
【００４２】
ここで、オネジのＭ３の規格とは、そのピッチが０．５ｍｍ、ヒッカカリの高さが０．２７１ｍｍ、外径が３．０００ｍｍ、有効径（図中Ｄ３で示す）が２．６５７ｍｍ、谷ノ径が２．４５９ｍｍとなっているものをいい、Ｍ４の規格とは、そのピッチが０．７ｍｍ、ヒッカカリの高さが０．３７９ｍｍ、外径が４．０００ｍｍ、有効径が３．５４５ｍｍ、谷ノ径が３．２４２ｍｍとなっているものをいう。
【００４３】
さらに、このオネジ足１３１ｄには、その中心軸１３１ｅを通り、その径方向と平行にオネジ足１３１ｄを貫通する円筒状の貫通孔１３１ｆが形成されている。そして、この貫通孔１３１ｆは、オネジ足１３１ｄに対して、その長さＬ３の２分の１の位置よりも先端側（オネジ頭１３１ａと逆側）に形成されるようになっている。
【００４４】
また、この貫通孔１３１ｆの直径Ｐ３は、貫通孔１３１ｆにネックレスチェーン１４１を貫通させることを考慮して、そのチェーン１４１ａの太さＰ４等の大きさよりも大きくなっている。その一方、オネジ１３１としての強度等との関係から、直径Ｐ３の最大値が決められている。従って、貫通孔１３１ｆの直径Ｐ３の大きさとしては、オネジ１３１が、上述したメートル並目ネジのＭ３の規格であれば、その直径Ｐ３は１．５ｍｍ程度、Ｍ４の規格であれば、直径Ｐ３は２．０ｍｍ程度となっていることが好ましい。すなわち、貫通孔１３１ｆの直径Ｐ３は、オネジ１３１の有効径Ｄ３の大きさの５０％以上６０％以下であることが好ましい。
【００４５】
さらに、オネジ足１３１ｄの長さＬ３は、男性用指輪１１１の厚さＴ１（あるいは女性用指輪１２１の厚さＴ２）より長く、かつ男性用指輪１１１の直径（内半径Ｒｉｎ１の２倍）より短いことが望ましい。
すなわち、オネジ足１３１ｄの長さＬ３が、男性用指輪１１１の厚さＴ１以下であると、オネジ１３１を男性用指輪１１１のメネジ孔１１１ｄに螺入した状態で、さらに女性用指輪１２１のメネジ孔１２１ｄに螺入することができない。
【００４６】
一方、オネジ足１３１ｄの長さＬ３が、男性用指輪１１１の直径以上であると、オネジ１３１を男性用指輪１１１の内周面１１１ａ側から螺入できなくなってしまう。
従って、オネジ足１３１ｄの長さＬ３は、理想的には、男性用指輪１１１の厚さＴ１と女性用指輪１２１の厚さＴ２との和に一致していることが望ましい。そのため、男性用指輪１１１の厚さＴ１と女性用指輪１２１の厚さＴ２の好適値がそれぞれ１．５ｍｍ以上であることを考慮すると、これに対応してオネジ足１３１ｄの長さＬ３は３．０ｍｍ以上であることが好ましい。
【００４７】
さらに、ネックレスチェーン１４１は、全体がステンレス製となっており、糸状のチェーン１４１ａと、その両端に取り付けられた継合具１４１ｂ、１４１ｃとから構成されている。そして、このチェーン１４１ａの太さＰ４は、オネジ１３１の貫通孔１３１ｆに貫通可能なように、その直径Ｐ３よりも細くなっている。また、その一方、オネジ１３１が男性用指輪１１１等に螺入された状態でオネジ１３１（及び男性用指輪１１１等）を釣支可能な程度の強度を有するように、太さＰ４が決められている。
【００４８】
なお、このチェーン１４１ａの材料は、ステンレスだけでなく、チェーン１４１ａの強度等に問題がなければ、これ以外に銀、チタン、紐（紐の場合には、例えばケプラー材もしくは高密度ポリエチレン）、皮等であっても良く、また男性用指輪１１１や女性用指輪１２１の材料に合わせて、プラチナ等であっても良い。さらに、チェーン１４１ａは、糸状である場合に限られず、着用者の着用感等を考慮して、ボールチェーン等であっても良い。
そして、ネックレスチェーン１４１の継合具１４１ｂ、１４１ｃは、互いに継合可能であるとともに、貫通孔１３１ｆに貫通可能になっている。
【００４９】
かかる構成において、組み合わせ指輪兼装身具１００の男性用指輪１１１と女性用指輪１２１とは、オネジ１３１により、互いに連結される。
この連結の様子を示した図を図４、図５に示す。なお、図５（ａ）は、図４中のＢ矢視線図であり、図５（ｂ）は、図４中のＣ−Ｃ矢視線断面図であり、図５（ｃ）は、図４中のＤ−Ｄ矢視線断面図であり、図５（ｄ）は、図４中のＥ−Ｅ矢視線断面図である。
【００５０】
図４、図５において、オネジ１３１が、女性用指輪１２１のメネジ孔１２１ｄに対して、内周面１２１ａ側から螺入されている。そして、このオネジ１３１は、メネジ孔１２１ｄに対して、限界まで螺入されている。
また、メネジ孔１２１ｄに限界まで螺入されたオネジ１３１の先端側は、さらに、男性用指輪１１１のメネジ孔１１１ｄに対して、その外周面１１１ｂ側から螺入されている。そして、この際も、オネジ１３１は、メネジ孔１１１ｄに対して、限界まで螺入されている。
【００５１】
この場合において、オネジ１３１とメネジ孔１１１ｄ、１２１ｄの規格は同じであるため、オネジ１３１をメネジ孔１１１ｄ、１２１ｄに限界まで螺入することによって、男性用指輪１１１と女性用指輪１２１とが互いに連結される。
このことにより、男性用指輪１１１と女性用指輪１２１との間はオネジ１３１により強固に連結されるため、多少の衝撃では、互いの連結が途切れることは無くなる。従って、両指輪間に強固な連結感あるいは一体感を奏することが可能となる。
【００５２】
なお、オネジ１３１は、女性用指輪１２１の内周面１２１ａ側から螺入し、その先端を男性用指輪１１１の外周面１１１ｂ側から螺入する場合に限られず、これとは逆に、オネジ１３１を男性用指輪１１１の内周面１１１ａ側から螺入し、その先端を女性用指輪１２１の外周面１２１ｂ側から螺入するようにしても良い。
【００５３】
一方、組み合わせ指輪兼装身具１００の女性用指輪１２１とオネジ１３１とは、ネックレスチェーン１４１を用いることにより、ネックレスとして使用される。
このネックレスとして使用した際の様子を示した図を図６に示す。
図６において、オネジ１３１が、女性用指輪１２１のメネジ孔１２１ｄに対して、内周面１２１ａ側から螺入されている。そして、このオネジ１３１は、メネジ孔１２１ｄに対して、限界まで螺入されている。
【００５４】
また、メネジ孔１２１ｄに限界まで螺入されたオネジ１３１の先端側では、オネジ１３１の貫通孔１３１ｆが、女性用指輪１２１の外周面１２１ｂ側から出現している。そのため、この貫通孔１３１ｆには、ネックレスチェーン１４１が貫通可能である。そして、ネックレスチェーン１４１の継合具１４１ｂ、１４１が、互いに継合されている。
【００５５】
この場合において、女性用指輪１２１とオネジ１３１とは、ネックレスの装飾部として使用される。
このことにより、組み合わせ指輪兼装身具１００は、指輪としての使用だけでなく、ネックレスとして使用することも可能である。従って、男性用指輪１１１あるいは女性用指輪１２１を急きょ外す必要がある場合にも、これらの指輪を一時的に外し、オネジ１３１及びネックレスチェーン１４１を用いてネックレスとして使用することで、男性用指輪１１１及び女性用指輪１２１やオネジ１３１、ネックレスチェーン１４１の紛失を防ぐことができる。
【００５６】
なお、ネックレスとしての使用は、女性用指輪１２１だけでなく、当然に男性用指輪１１１においても可能である。
以上により、組み合わせ指輪兼装身具１００は、２つの男性用指輪１１１及び女性用指輪１２１とを強固に連結可能であるとともに、必要に応じて指輪以外にネックレスとして使用することも可能である。
【００５７】
なお、本実施形態においては、男性用指輪１１１あるいは女性用指輪１２１に設けられたメネジ孔１１１ｄ、１２１ｄは、それぞれ１つだけであり、かつオネジ１３１及びネックレスチェーン１４１も１つずつしか存在していないものとして説明してきたが、これに限られない。すなわち、メネジ孔１１１ｄ、１２１ｄは各指輪について２つ（例えば、指輪の軸方向に２つ並んで）設けられても良く、これに対応して、オネジ１３１及びネックレスチェーン１４１も２つ設けられても良い。
【００５８】
このことにより、２本のオネジ１３１をそれぞれ男性用指輪１１１の内周面１１１ａ側、女性用指輪１２１の内周面１２１ａ側から螺入することで、より強固に男性用指輪１１１と女性用指輪１２１との間を連結することができる。また、男性用指輪１１１と女性用指輪１２１とをそれぞれ単独で使用する場合にも、オネジ１３１とネックレスチェーン１４１とをそれぞれ１組ずつ所持することにより、各着用者が、ネックレスとして使用することが可能となる。
【００５９】
さらに、本実施形態においては、男性用指輪１１１と女性用指輪１２１との間の連結、すなわち２本の指輪の間の連結を行う場合について説明してきたが、これに限られず、３本以上の指輪の間の連結を行うものであっても良い。この場合には、男性用指輪１１１等にメネジ孔１１１ｄを複数個形成するとともに、これに対応してオネジ１３１も複数個設けることで構成することができる。そして、３本の指輪の場合には、２本の指輪を夫婦で使用し、もう１本をその子供に使用させたり、あるいは、親、子、孫間の３世代で１本ずつ使用するようにしても良い。
【００６０】
また、本実施形態においては、男性用指輪１１１等は、図示しない帯状部材を円環状に成形したものであるとして説明してきたが、これに限られない。すなわち、男性用指輪１１１の厚さＴ１等は一様である場合に限られず、男性用指輪１１１として強度等を必要とする部分、すなわちメネジ孔１１１ｄ付近の厚さＴ１を厚くして、これ以外の部分の厚さＴ１を薄くするように成形しても良い。このことにより、男性用指輪１１１としての強度を維持しつつ、指輪全体としての軽量化を望む着用者に対して、これを満足させることができる。
【００６１】
さらに、本実施形態においては、組み合わせ指輪兼装身具１００はネックレスとして使用可能であるとして説明してきたが、これに限られず、オネジ１３１を釣支して使用可能であれば、当然にピアス、イヤリング、チョーカー、ペンダント、ベルト、ブレスレット、ベルト、アンクレット等の装身具であっても良い。
【００６２】
次に、本発明の第２実施形態について説明する。
第２実施形態である組み合わせ指輪兼装身具は、第１実施形態である組み合わせ指輪兼装身具に対して、オネジを加飾し、これを指輪の装飾部として使用するものである。
本発明の第２実施形態である組み合わせ指輪兼装身具の構成図を図７に示す。なお、図１と同一要素のものについては同一符号を付して説明は省略する。
【００６３】
図７において、組み合わせ指輪兼装身具２００は、男性用指輪１１１と、女性用指輪１２１と、加飾オネジ２３１と、ネックレスチェーン１４１と、挟装具２５１とから構成されている。
ここに、加飾オネジ２３１は、第１実施形態であるオネジ１３１と同様の形状を有するオネジ頭１３１ａ、オネジ足１３１ｄに加え、加飾部２３１ｂを備えて構成されている。そして、この加飾部２３１ｂは、ダイヤ、ルビー、サファイア、パール等から構成されており、オネジ頭１３１ａに固定されるようになっている。
【００６４】
なお、加飾部２３１ｂとしてダイヤ、ルビー、サファイア等の宝石を用いる場合には、通常「彫り留め」と呼ばれる方法によりオネジ頭１３１ａに固定されるようになっている。ここで「彫り留め」とは、オネジ頭１３１ａ等の地金に空けた穴の中へ固定すべき宝石を落とし込み、その後、その周囲の地金を宝石に向かって寄せ集めることで宝石を固定する方法をいう（図示略）。もちろん、加飾部２３１ｂは、「彫り留め」により固定される場合に限られず、オネジ頭１３１ａに埋設等されて固定されても良い。さらに、加飾部２３１ｂとしてパール等を用いる場合には、これらを傷付けないように、接着等の方法によりオネジ頭１３１ａに固定するようにしても良い。
【００６５】
また、挟装具２５１は、全体がステンレス製の正六角柱の形状を有しており、この挟装具２５１には、中心軸に沿って、その両底面間を貫通するメネジ孔２５１ｄが形成されている。そして、このメネジ孔２５１ｄは、例えば、右ネジになるように形成されており、加飾オネジ２３１と同じ規格になっている。そのため、挟装具２５１には、加飾オネジ２３１が螺入可能となっており、上述の例で言えば、メートル並目ネジのＭ３あるいはＭ４規格になっている（この有効径を図中Ｄ５で示す）。なお、挟装具２５１の材料については、ステンレスだけでなく、これ以外にチタン製であっても良く、また男性用指輪１１１や女性用指輪１２１の材料に合わせて、プラチナ等であっても良い。
【００６６】
さらに、この挟装具２５１の大きさは、挟装具２５１自体を手で回し易いように、正六角形のうちの平行な２辺間の距離である径Ｈ５が５．０ｍｍ以上となっている。ただし、この径Ｈ５に関しては、挟装具２５１に加飾オネジ２３１が螺入された際に、挟装具２５１とオネジ頭１３１ａとが一体化するように、オネジ頭１３１ａの径Ｈ３と一致していることが望ましい。なお、挟装具２５１自身の形状も、正六角柱である場合に限られず、オネジ頭１３１ａの形状に合わせて、円柱、三角柱、四角柱あるいはその他の異型となることが好ましい。
【００６７】
さらに、挟装具２５１の長さＬ５は、男性用指輪１１１の厚さＴ１（あるいは女性用指輪１２１の厚さＴ２）以上、かつ加飾オネジ２３１の長さＬ３より短いことが望ましい。
すなわち、挟装具２５１の長さＬ５が、加飾オネジ２３１の長さＬ３以上であると、加飾オネジ２３１を挟装具２５１に螺入させた状態で、さらに男性用指輪１１１等に螺入することができない。
【００６８】
一方、挟装具２５１の長さＬ５が、男性用指輪１１１の厚さＴ１等よりも短いと、（上述の好適値として）加飾オネジ２３１の長さＬ３が厚さＴ１と厚さＴ２との和になっている場合には、加飾オネジ２３１が挟装具２５１、メネジ孔１１１ｄ等に螺入された状態で、オネジ足１３１ｄの先端側が男性用指輪１１１の内周面１１１ａから突出してしまい、この状態での指輪としての使用が不可能となる。
【００６９】
従って、理想的には、加飾オネジ２３１を男性用指輪１１１に螺入して使用する場合には、挟装具２５１の長さＬ５を女性用指輪１２１の厚さＴ２に一致させる（あるいは、加飾オネジ２３１を女性用指輪１２１に螺入して使用する場合には、挟装具２５１の長さＬ５を男性用指輪１１１の厚さＴ１に一致させる）ことが好ましい。
【００７０】
かかる構成において、組み合わせ指輪兼装身具２００は、第１実施形態と同様の方法により、２つの男性用指輪１１１及び女性用指輪１２１との間が強固に連結される（図４、図５と同様）。
また、組み合わせ指輪兼装身具２００は、第１実施形態と同様の方法によりネックレスチェーン１４１等を用いることで、必要に応じて指輪以外にネックレス等として使用される（図６と同様）。
【００７１】
さらに、本実施形態においては、加飾オネジ２３１が、挟装具２５１に螺入された状態で、さらに男性用指輪１１１に螺入される。
この加飾オネジが指輪に螺入された際の様子を示した図を図８に示す。
図８において、加飾オネジ２３１が、挟装具２５１に螺入されている。そして、この加飾オネジ２３１は、挟装具２５１のメネジ孔２５１ｄに対して、限界まで螺入されている。
【００７２】
また、メネジ孔２５１ｄに限界まで螺入された加飾オネジ２３１の先端側は、さらに、男性用指輪１１１のメネジ孔１１１ｄに対して、外周面１１１ｂ側から螺入されている。そして、この際も、加飾オネジ２３１は、メネジ孔１１１ｄに対して、限界まで螺入されている。
この場合において、加飾オネジ２３１は、その長さＬ３が男性用指輪１１１と女性用指輪１２１との間を連結可能な長さであるにもかかわらず、オネジ足１３１ｄの先端が男性用指輪１１１の内周面１１１ａ側に突出しないようになる。そのため、加飾オネジ２３１は、指輪の装飾部として使用可能となる。
【００７３】
このことにより、加飾オネジ２３１は、単に、男性用指輪１１１と女性用指輪１２１とを連結するために用いられるだけでなく、挟装具２５１と組み合わされることにより、指輪の装飾部として使用することができる。従って、男性用指輪１１１等を単独で指輪として使用する際に、外部にメネジ孔１１１ｄを見せないようにすることができるため、指輪のデザイン性を高めることができる。さらに、メネジ孔１１１ｄ等に（加飾された）加飾オネジ２３１が螺入されるため、指輪のデザイン性を一層高めることができる。また、この加飾オネジ２３１自身の紛失も防ぐことができる。
【００７４】
以上により、組み合わせ指輪兼装身具２００は、第１実施形態と同様に、２つの男性用指輪１１１及び女性用指輪１２１とを強固に連結可能であり、かつ必要に応じて指輪以外にネックレスとして使用することも可能であるとともに、さらに、加飾オネジ２３１を指輪の装飾部として使用することが可能となる。
【００７５】
なお、本実施形態においては、加飾オネジ２３１のオネジ頭１３１ａとオネジ足１３１ｄとは、一体化されているものとして説明してきたが、これに限られず、オネジ頭１３１ａがオネジ足１３１ｄから分離可能であっても良い。この場合には、オネジ頭１３１ａにオネジ足１３１ｄと同規格のメネジ孔を形成することで、構成することができる。（図示略）。このことにより、着用者の好みに応じて、指輪として用いられる際の装飾を変更することができる。
【００７６】
また、本実施形態においては、加飾オネジ２３１は、挟装具２５１を介して、男性用指輪１１１に螺入されるものとして説明してきたが、これに限られない。すなわち、加飾オネジ２３１のオネジ足１３１ｄの長さＬ３よりも短い（例えば、男性用指輪１１１の厚さＴ１あるいは女性用指輪１２１の厚さＴ２以下の長さの）オネジ足を有する加飾オネジ（図示略）を別途用意することにより、挟装具２５１を介さなくても、かかる加飾オネジを指輪の装飾部として使用することができる。このことにより、一方の着用者において、（足の長い）加飾オネジ２３１を挟装具２５１を介して指輪の装飾部として使用しつつ、もう一方の着用者において、（足の短い）加飾オネジを単独で指輪の装飾部として使用することができる。そして、この場合には（足の長い）加飾オネジ２３１を使用する着用者においては、第１実施形態と同様のネックレスへの変更が可能となる。
【図面の簡単な説明】
【００７７】
【図１】本発明の第１実施形態である組み合わせ指輪兼装身具の構成図
【図２】オネジの拡大図
【図３】指輪の号数を示した図
【図４】連結の様子を示した図
【図５】同上
【図６】ネックレスとして使用した際の様子を示した図
【図７】本発明の第２実施形態である組み合わせ指輪兼装身具の構成図
【図８】加飾オネジが指輪に螺入された際の様子を示した図
【図９】従来の組み合わせ指輪の構成図
【符号の説明】
【００７８】
１００、２００  組み合わせ指輪兼装身具
１１１  男性用指輪
１１１ａ、１２１ａ  内周面
１１１ｂ、１２１ｂ  外周面
１１１ｄ、１２１ｄ、２５１ｄ  メネジ孔
１２１  女性用指輪
１３１  オネジ
１３１ａ  オネジ頭
１３１ｄ  オネジ足
１３１ｆ  貫通孔
１４１  ネックレスチェーン
２３１  加飾オネジ
２５１  挟装具
【図１】
2005198723.tif 000003
【図２】
2005198723.tif 000004
【図３】
2005198723.tif 000005
【図４】
2005198723.tif 000006
【図５】
2005198723.tif 000007
【図６】
2005198723.tif 000008
【図７】
2005198723.tif 000009
【図８】
2005198723.tif 000010
【図９】
2005198723.tif 000011